(57)【要約】【課題】色域を適切に復元可能な画像処理装置および画像処理方法を提供する。【解決手段】本発明の一実施形態に係る画像処理装置は、通信部と、制御部と、画質補正部とを備える。前記通信部は、受信した放送番組の映像データの色域に関する色域情報を提供する色域情報提供装置との間で情報通信を行う。前記制御部は、前記映像データの前記色域情報を、前記通信部を介して前記色域情報提供装置から取得する。前記画質補正部は、前記制御部にて取得した前記色域情報に基づいて、放送番組の映像データの色域を復元する。【選択図】図１
2016086248.tif 000002
【特許請求の範囲】
【請求項１】
受信した放送番組の映像データの色域に関する色域情報を提供する色域情報提供装置との間で情報通信を行う通信部と、
前記映像データの前記色域情報を、前記通信部を介して前記色域情報提供装置から取得する制御部と、
前記制御部にて取得した前記色域情報に基づいて、放送番組の映像データの色域を復元する画質補正部と
備えた画像処理装置。
【請求項２】
放送番組の映像データに対応する、番組情報を含む属性情報を取得する属性情報取得部を備え、
前記制御部は、前記属性情報に含まれる番組情報を、前記通信部を介して前記色域情報提供装置に送信し、対応する前記色域情報を、前記通信部を介して前記色域情報提供装置から取得する請求項１に記載の画像処理装置。
【請求項３】
前記制御部は、放送番組のリアルタイム視聴を行う場合には、選局したチャネルの放送番組が始まる前に、当該放送番組に対応する前記色域情報を前記色域情報提供装置から取得して前記画質補正部に送信する請求項１または２に記載の画像処理装置。
【請求項４】
放送番組の映像データを記録する記録部と、
前記記録部に映像データを記録する制御と、前記記録部に記録された映像データを再生する制御とを行う記録再生制御部と、を備え、
前記制御部は、前記記録部に記録された映像データを再生する際に、当該映像データに対応する前記色域情報を前記色域情報提供装置から取得する請求項１乃至３のいずれかに記載の画像処理装置。
【請求項５】
前記画質補正部は、前記記録部に記録された映像データを再生するたびに、前記色域情報に基づいて前記映像データの色域を復元する請求項４に記載の画像処理装置。
【請求項６】
前記画質補正部は、前記記録部に記録された映像データを最初に再生する際に前記制御部が前記色域情報提供装置から取得した前記色域情報を、二度目以降に映像データを再生する際にも流用する請求項５に記載の画像処理装置。
【請求項７】
前記色域情報提供装置から提供される前記色域情報は、対応する番組の映像データを所定の区切りで区切った分割区間ごとの色域に関する情報であり、
前記画質補正部は、前記分割区間ごとの色域に関する情報に基づいて、前記映像データの色域を復元する請求項１乃至６のいずれかに記載の画像処理装置。
【請求項８】
受信した放送番組の映像データの色域に関する色域情報を提供する色域情報提供装置から、前記映像データの前記色域情報を取得するステップと、
前記取得した色域情報に基づいて、放送番組の映像データの色域を復元するステップと
を備えた画像処理方法。
【発明の詳細な説明】
【技術分野】
【０００１】
本発明の実施形態は、画像処理装置およびその画像処理方法に関する。
【背景技術】
【０００２】
近年、次世代放送規格である超高詳細度テレビジョン（ＵＨＤＴＶ：Ultra High Definition Television）である４Ｋ／８Ｋテレビの開発が進められている。ＵＨＤＴＶは、国際電気通信学会（ＩＴＵ）のＢＴ．２０２０勧告により、非常に広い色域が定められており、４Ｋ／８Ｋテレビは、今まで以上に色鮮やかな画像を表示できる見込みである。しかし、現状、ビデオカメラなどの放送機器や記録済みの映像コンテンツの多くは、ＢＴ．２０２０で定められた色域よりも狭い色域にしか対応できていないため、ＢＴ．２０２０の規格に準拠したＵＨＤＴＶ放送を開始したとしても、狭い色域の映像データが放送電波で送信される可能性が高い。この場合、４Ｋ／８Ｋテレビ側では、放送電波に含まれる映像データの色域が狭いかどうかを容易には判別できないことから、狭い色域のままで映像データを表示してしまい、色鮮やかな映像表示ができなくなる。
【０００３】
一方、狭い色域の画像データを、色域復元処理によって、原画像により近い色鮮やかな画像に復元する技術が実用化されている。受信した映像データの色域が予めわかっていれば、この色域復元処理を行うことが可能であるが、上述したように、広い色域に対応したＢＴ．２０２０の規格に準拠した放送電波で受信された映像データについては、色域が広いものと４Ｋ／８Ｋテレビ側で解釈し、上述した色域復元処理がなされないまま、映像表示を行ってしまうおそれがある。
【０００４】
このように、ＢＴ．２０２０に準拠した放送が開始された場合には、４Ｋ／８Ｋテレビが色域復元処理機能を持っていたとしても、その機能が有効に利用されず、結果として、色鮮やかな映像表示ができないことが考えられる。
【先行技術文献】
【特許文献】
【０００５】
【特許文献１】特開２００４−５２７０３９号公報
【発明の概要】
【発明が解決しようとする課題】
【０００６】
本発明が解決しようとする課題は、色域を適切に復元可能な画像処理装置および画像処理方法を提供することである。
【課題を解決するための手段】
【０００７】
本発明の一実施形態に係る画像処理装置は、通信部と、制御部と、画質補正部とを備える。
【０００８】
前記通信部は、受信した放送番組の映像データの色域に関する色域情報を提供する色域情報提供装置との間で情報通信を行う。
【０００９】
前記制御部は、前記映像データの前記色域情報を、前記通信部を介して前記色域情報提供装置から取得する。
【００１０】
前記画質補正部は、前記制御部にて取得した前記色域情報に基づいて、放送番組の映像データの色域を復元する。
【図面の簡単な説明】
【００１１】
【図１】第一の実施形態に係る画像処理装置のブロック図。
【図２】ＣＩＥ１９３１色度図における、ＢＴ．２０２０とＢＴ．７０９で定められた色域の比較図。
【図３】第一の実施形態に係るリアルタイム視聴時のフローチャート。
【図４】第一の実施形態に係る再生視聴時のフローチャート。
【図５】第二の実施形態に係る画像処理装置のブロック図。
【図６】第三の実施形態に係る画像処理装置のブロック図。
【発明を実施するための形態】
【００１２】
以下、図面を参照しながら、本発明の実施形態について説明する。
【００１３】
（第一の実施形態）
図１は第一の実施形態に係る画像処理装置の概略構成を示すブロック図である。第一の実施形態に係る画像処理装置は、映像データの記録機能を備えたテレビジョン受像器１００である。このテレビジョン受像器１００は、アンテナ１０１、チューナ１０２、デジタル復調器１０３、デジタル復号器１０４、記録再生制御部１０５、制御部１０６、記録部１０７、通信部１０８、画質補正部１０９、表示器１１０を備えている。また、図１のテレビジョン受像器１００は、映像に関するデータ（映像データ）の色域に関する色域情報を提供するサービスを行うクラウド２００と通信を行う。
【００１４】
アンテナ１０１は、デジタルテレビ放送の放送信号を受信する。受信する放送信号は、例えばＢＴ．２０２０に準拠したＵＨＤＴＶ放送であり、その他の放送規格を受信してもよい。また放送の方式は、地上波放送、放送衛星（ＢＳ）放送、通信衛星（ＣＳ）放送など、特に問わない。なお、本実施形態は、ケーブルテレビやインターネットなどの通信ネットワークなどから放送信号を受信する場合にも適用可能であり、この場合、アンテナはなくてもよい。この場合、図１はセットトップボックス付きのテレビジョン受像器１００となる。
【００１５】
チューナ１０２は、アンテナ１０１が受信した放送信号から、選局された特定のチャネルの放送信号を抽出する。なお、全チャネルの放送信号を受信して記録するモードを設けてもよい。
【００１６】
デジタル復調器１０３は、チューナ１０２が選局した放送信号に対し、ＴＣ−８ＰＳＫやＯＦＤＭなどの復調処理や、デインタリーブなどのエラー補正などを行い、デジタルストリームを出力する。デジタルストリームは、映像データの他に、音声に関するデータや、放送時間、タイトルなどの番組情報を含む属性情報を有する。
【００１７】
デジタル復号器１０４は、デジタルストリームに対して復号などの処理を行い、復号された映像データを生成する。なお、音声に関するデータなど、映像データ以外も抽出してもよい。
【００１８】
記録再生制御部１０５は、デジタルストリームから属性情報を抽出し、制御部１０６に送信する。また、記録再生制御部１０５は、制御部１０６の指示に従い、記録部１０７にデジタルストリームを記録する制御を行うとともに、記録部１０７に記録されたデジタルストリームを再生する制御を行う。
【００１９】
制御部１０６は、属性情報に含まれる番組情報を、通信部１０８を介して、クラウド２００に送信し、対応する色域情報を、通信部１０８を介して、クラウド（色域情報提供装置）２００から取得する。
【００２０】
クラウド２００の実体は、例えば通信ネットワークに接続されたサーバである。クラウド２００は、通信ネットワークを介して、種々のサービスを提供するものであり、本実施形態によるクラウド２００は、番組の映像データの色域情報を提供するサービスを行う。クラウド２００によるサービスの提供元は、放送局でもよいし、放送局以外の一般事業者や公的機関、あるいは個人でもよい。
【００２１】
本実施形態では、一例として、クラウド２００から色域情報を取得しているが、取得先は、クラウド２００に限らず、受信した放送番組の映像データの色域情報を提供する色域情報提供装置であればよい。このように、色域情報の提供先は、図１のテレビジョン受像器１００に有線または無線で接続された色域情報提供装置であるが、以下では、通信ネットワーク上のどこかに接続された色域情報提供装置から色域情報の提供を受ける例を説明し、この色域情報提供装置をクラウド２００と表現する。
【００２２】
色域情報は、対応する番組ごとに設けられている。一つの番組の中に複数の色域情報が含まれている場合もありうる。例えば、一つの番組の映像データを、タイムスタンプなどの所定の区切りで区切った分割区間ごとに、色域情報を設けてもよい。例えば、番組のオープニング、本編、ＣＭなどは、それぞれ色域が異なっていることが多いが、これらは通常タイムスタンプで区切られているため、各タイムスタンプごとに色域情報を設けておけば、色域情報を参照することで、各タイムスタンプごとに色域の復元方法を調整することで、番組内の各シーンに最適な色域で表示を行うができる。
【００２３】
クラウド２００から取得される色域情報のデータ形式は特に問わない。例えば、一つの番組の映像データに対応して複数の色域情報が存在する場合、これら色域情報が一つのファイルにまとめられて、クラウド２００から提供されてもよいし、複数のファイルに分けてクラウド２００から提供されてもよい。
【００２４】
色域情報を取得するタイミングは、視聴する番組の開始時刻より前が望ましい。番組が開始された後に色域情報を取得したとすると、色域情報を取得して色域復元処理を行う前には、最適な色域で映像データを視聴できなくなるためである。番組が開始される前に色域情報を取得する方法は、チャネル選局時に、今後の放送予定番組表情報を放送波などから取得し、選局したチャネルにおける放送予定番組の色域情報をクラウド２００から予め取得する方法や、各日の定刻にクラウド２００から一日分の全ての番組の色域情報を取得する方法などが考えられる。また、番組開始前に取得した色域情報を、記録部１０７などに記録しておき、番組開始時に記録部１０７から読み出してもよい。
【００２５】
制御部１０６は、取得した色域情報に基づいて、画質補正部１０９が色域復元処理を行うためのパラメータとなる画質補正制御信号を生成する。この画質補正制御信号は、例えば取得した色域情報を番組のタイムスタンプに対応づけた信号である。受信した映像データがＢＴ．２０２０で定める色域を有する場合は、制御部１０６は、画質補正部１０９に色域復元処理を行わないように指示する。もともと映像データがＢＴ．２０２０で定める色域を有している場合には、色復元処理を行う必要はないためである。
【００２６】
この他、制御部１０６は、記録再生制御部１０５に対し、デジタルストリームの記録および再生を指示する。記録部１０７に記録した映像データを再生する際にも、色域復元処理が必要なため、制御部１０６は、映像データを再生する際にも色域情報を取得する。再生のたびにクラウド２００から色域情報を取得してもよいし、もしくは、初めて再生をしたときは、色域情報をクラウド２００から取得し、取得した色域情報を記録部１０７などに記録しておき、次回以降の再生では、色域情報を記録部１０７から読み出してもよい。あるいは、デジタルストリームを記録部１０７に記録する際に、クラウド２００から色域情報を取得しておき、取得した色域情報をデジタルストリームと対応づけて記録してもよい。この場合、再生時には、記録しておいた色域情報を記録部１０７から読み出すだけでよいため、再生処理を迅速に行うことができる。
【００２７】
記録部１０７は、記録再生制御部１０５によって、放送番組のデジタルストリームを記録する。また、記録再生制御部１０５によって抽出された属性情報や、クラウド２００より取得した色域情報、その他のデータも記録してもよい。記録部１０７は、ディスク装置だけでなく、ＲＡＭ、ＮＡＮＤ型フラッシュメモリなどの任意の記憶装置で構成してもよい。また、揮発性メモリと不揮発性メモリとの両方を含んでいてもよい。
【００２８】
通信部１０８は、クラウド２００との間で情報通信を行う。
【００２９】
画質補正部１０９は、画質補正制御信号に基づいて、映像データに対して色域復元処理を行い、映像信号を出力する。行われる色域復元処理は、放送波で狭い色域に圧縮された送られた色信号から原画像の色を推定し復元する処理であり、スケーリング処理、輝度補正、色補正、コントラスト調整、色信号調整、解像度変換処理などを合わせて行ってもよい。出力する信号は、ＲＧＢ信号でもＹＣｂＣｒ信号でも、表示器１１０が受け付けることができる信号であればよい。
【００３０】
画質補正部１０９が色域復元処理を実施するタイミングは、画質補正制御信号を受信した直後でも、シーンの切り替わりから開始してもよい。例えば、リアルタイム再生を行っているときに、チャネルの切り替えをした場合は、色域情報を取得し画質補正制御信号を生成するまでに、多少のタイムラグが生じる。この場合には、色域復元処理を直ちに行わずに、シーンの切り替わりから行うようにしてもよい。
【００３１】
図２は、国際照明委員会（ＣＩＥ）が１９３１年に定めた、ｘ軸およびｙ軸からなる二次元平面上の光の色度図である。ｘ軸およびｙ軸は色度を示している。ｘ軸は、数値が大きくなるほど赤の比率が増加し、数値が小さくなるほど青の比率が増加する。ｙ軸は、数値が大きくなるほど緑の比率が増加し、数値が小さくなるほど青の比率が増加する。点線で囲まれた馬蹄形の範囲は、視認可能な色域を表示する。破線で囲まれた範囲はＢＴ．７０９で定める色域、一点鎖線で囲まれた範囲はＢＴ．２０２０で定める色域である。
【００３２】
ＢＴ．７０９で定めた色域の映像データに対して色域復元処理を行うことにより、表示できる色域を実線で囲まれた範囲にまで広げることができる。このため、色域復元処理後の映像は、色域復元処理を行う前の映像より、色鮮やかに表示される。一方、ＢＴ．２０２０で定める色域は、それよりも広いため、送られてきた映像データをそのまま表示しても、より色鮮やかな色が表示されるはずである。ところが、実際には、ＢＴ．２０２０で定める色域に準拠した放送波を用いてＢＴ．７０９で定める色域の映像データを送信することもあり、この場合には、色域復元処理をせずに表示すると、図２の破線で囲まれた狭い色域で表示されてしまう。そこで、本実施形態では、ＢＴ．２０２０で定める色域に準拠した放送波を受信した場合であっても、受信した映像データの色域が狭い場合には、画質補正部１０９にて、色域復元処理を行う。
【００３３】
上記の説明では、ＢＴ．２０２０で定める色域に準拠した放送波を用いて、ＢＴ．７０９で定めた色域の映像データを送信する例を説明したが、例えば映画製作などで広く利用されているＤＣＩ−Ｐ３で定めた色域の映像データなどのＢＴ．２０２０で定める色域よりも狭い色域の映像データを送信する場合においても、同様の手順で適切な色域復元処理を行うことができる。
【００３４】
画質補正部１０９は、再生の度に、画質補正処理を行う。色域復元処理後のデータを記録部１０７に記録すれば、再生のたびに色域復元処理を行う必要はなくなるが、色域復元処理後のデータを符号化して記録部に保存するにはエンコーダが別個必要となり、内部構成が複雑になって、画像処理装置のコストアップになるので望ましくない。
【００３５】
表示器１１０は、画質補正部が出力した映像信号から映像を表示する映像表示機器である。映像表示機器としては、有機ＥＬパネルや広色域液晶パネルなどの平面表示装置が想定されうるが、その他の表示機器でもよい。
【００３６】
図３は、本実施形態におけるリアルタイム視聴時での画像処理の処理手順を示すフローチャートを示す図である。
【００３７】
チューナ１０２は、ユーザの選択を受け付けて、特定のチャネルの放送信号を選局する（Ｓ１０１）。この放送信号は、デジタル復調器１０３に送られる。
【００３８】
デジタル復調器１０３は、その放送信号に対し復調などを行い、デジタルストリームに変換する（Ｓ１０２）。デジタルストリームは、デジタル復号器１０４と、記録再生制御部１０５に送られる。
【００３９】
デジタル復号器１０４は、受信したデジタルストリームに対し、デスクランブルなどの復号化を行い、映像データを生成する（Ｓ１０３）。
【００４０】
一方、記録再生制御部１０５は、デジタルストリームから属性情報を抽出し、制御部１０６に送信する（Ｓ１０４）。また、記録再生制御部１０５は、制御部１０６に対し、デジタルストリームの記録の必要性を問い合わせ（Ｓ１０５）、記録が必要な場合は（Ｓ１０６のＹＥＳ）、記録部１０７にデジタルストリームを記録する（Ｓ１０７）。
【００４１】
制御部１０６は、映像データに関する色域情報を取得するために、受信した属性情報に含まれる番組情報を基に、通信部１０８を介し、色域情報を提供するクラウド２００と通信を行う（Ｓ１０８）。色域情報を取得できた場合は（Ｓ１０９のＹＥＳ）、色域復元処理を実行させるための画質補正制御信号を生成し、画質補正部１０９に送信する（Ｓ１１０）。画質補正部１０９は、画質補正制御信号に応じて、映像データに対して色域復元処理を行い、最適な映像信号を出力する（Ｓ１１１）。色域情報を取得できない場合または対応する色域情報がない場合は（Ｓ１０９のＮＯ）、制御部１０６は、色域復元処理を実行させないための画質補正制御信号を生成し、画質補正部１０９に送信する（Ｓ１１２）。画質補正部１０９は、画質補正制御信号に応じて、映像信号に色域復元処理を行わず、そのままの映像信号を出力する（Ｓ１１３）。
【００４２】
表示器１１０は、出力された映像信号を受信し、映像を表示する（Ｓ１１３）。以上で、リアルタイム視聴時での画像処理は完了する。
【００４３】
図４は、本実施形態における記録部に記録したデジタルストリームの再生時の画像処理の処理手順を示すフローチャートを示す。
【００４４】
制御部１０６は、記録再生制御部１０５に、記録部１０７に記録されたデジタルストリームの再生を指示する（Ｓ２０１）。
【００４５】
記録再生制御部１０５は、記録部１０７よりデジタルストリームを抽出する。また、デジタルストリームより属性情報を抽出する。抽出されたデジタルストリームは、デジタル復号器１０４に、抽出された属性情報は、制御部１０６にそれぞれ送られる（Ｓ２０２）。
【００４６】
以降の処理は、リアルタイム視聴時と同様の処理であるため、省略する。以上で、再生時の画像処理は完了する。
【００４７】
以上のように、第一の実施形態では、放送波を受信した場合に、受信した放送波に含まれる映像データの色域情報をクラウド２００から取得し、取得した色域情報を用いて、必要に応じて映像データの色復元処理を行うため、ＢＴ．２０２０のような広い色域に準拠した放送波を用いて、狭い色域の映像データを送信した場合には、その映像データに対して最適な色復元処理を行うことができ、表示器１１０の性能を存分に生かせるような色鮮やかな色で映像データを表示できる。特に、本実施形態では、クラウド２００から色域情報を取得するため、放送波に色域情報を入れる必要がなくなり、放送波の伝送方式を変更することなく、色域の復元処理を行うことができる。クラウド２００が提供する色域情報は、クラウド２００側で任意に設定変更できるため、例えば、タイムスタンプごとに異なる色域情報を提供することも可能となり、一つの番組内で、各シーンごとに色域の復元手法を変えることも可能となる。さらに、番組表に従って、放送番組が始まる前に色域情報を取得するようにすれば、各放送番組のオープニングから、最適な色域で表示できるようになる。
【００４８】
受信した放送波に含まれる各映像データの色域は、映像データのビットパターンを解析することで推測できるが、このような解析を短時間で行うには、画像処理装置の処理能力を増強する必要がある。これに対して、本実施形態のように、クラウド２００から色域情報を取得する方式であれば、画像処理装置自体はそれほど高い処理能力を必要としないため、低コストで最適な色域復元処理を行うことが可能となる。
【００４９】
（第二の実施形態）
以下に説明する第二の実施形態は、記録部を持たないリアルタイム視聴専用の画像処理装置である。
図５は第二の実施形態に係る画像処理装置の概略構成を示すブロック図である。
【００５０】
第二の実施形態に係る画像処理装置であるテレビジョン受像器３００はリアルタイム視聴専用であり、記録部を備えていない。このテレビジョン受像器３００は、アンテナ１０１、チューナ１０２、デジタル復調器１０３、デジタル復号器１０４、制御部１０６、通信部１０８、画質補正部１０９、表示器１１０、属性情報取得部３０１を備えている。
【００５１】
属性情報取得部３０１は、図１の記録再生制御部１０５の代わりに設けられている。属性情報取得部３０１は、デジタルストリームから属性情報を抽出し、制御部１０６に送信する。
図５の画像処理装置は、記録再生動作がないことを除けば、図１の画像処理装置と同様であるため、詳細な説明は省略する。
【００５２】
第二の実施形態では、第一の実施形態に比べ、記録部がなく、また記録再生制御部１０５に代えて、記録および再生を制御する機能を有しない属性情報取得部３０１を備えるため、第一の実施形態よりも、内部構成を簡略化でき、製造コストを抑えることができる。
【００５３】
（第三の実施形態）
以下に説明する第三の実施形態は、記録再生機能を有する画像処理装置である。
図６は第三の実施形態に係る画像処理装置の概略構成を示すブロック図である。
【００５４】
第三の実施形態に係る画像処理装置は、記録再生機能のみを有する記録再生装置すなわちレコーダである。この記録再生装置４００は、チューナ１０２、デジタル復調器１０３、デジタル復号器１０４、記録再生制御部１０５、制御部１０６、デバイスインターフェイス部４０１、通信部１０８、画質補正部１０９、出力インターフェイス部４０２を備えている。
【００５５】
本実施形態である記録再生装置４００は、表示器がないことを除けば、図１と同様に構成されている。また、場合によっては、チューナ１０２とデジタル復調器１０３は省略可能である。図６の記録再生装置４００をテレビジョン装置に接続し、テレビジョン装置で復調したデジタルストリームを記録再生装置４００で受信して、記録部１０７に記録してもよい。
【００５６】
デバイスインターフェイス部４０１は、ＵＳＢやＳＤＩＯなど、外部記憶装置５００とデータの送受を行うインターフェイス部である。外部記録装置５００は、ＨＤＤなどの磁気記録装置、ＳＳＤやＵＳＢメモリなどの半導体記憶装置、各種の光記録装置などである。なお、記録再生装置４００内に、記録装置を設けてもよい。
【００５７】
記録再生装置４００が出力する映像信号は、出力インターフェイス部４０２を介して外部の外部表示器５００に受け渡される。出力インターフェイス部４０２は、ＨＤＭＩ（登録商標）、Ｄｉｓｐｌａｙポートなどのデジタル信号を出力するインターフェイスが望ましいが、その他でもよい。
【００５８】
図６の記録再生装置４００も、第一および第二の実施形態と同様に、クラウド２００から番組情報に対応した色域情報を取得し、それを用いて画質補正部１０９にて色域復元処理を行う。
【００５９】
このように、表示機能を持たない画像処理装置であっても、第一および第二の実施形態と同様に、再生時にクラウド２００から色域情報を取得することで、画像処理装置内で適切な色域復元処理を行うことができる。
【００６０】
上記に、本発明の一実施形態と具体例を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６１】
１００  記録部搭載テレビジョン受像器
１０１  アンテナ
１０２  チューナ
１０３  デジタル復調器
１０４  デジタル復号器
１０５  記録再制御部
１０６  制御部
１０７  記録部
１０８  通信部
１０９  画質補正部
１１０  表示器
２００  クラウド
３００  記録部非搭載テレビジョン受像器
３０１  属性情報取得部
４００  再生装置
４０１  デバイスインターフェイス
４０２  出力インターフェイス部
５００  外部記録装置
６００  外部表示器
【図１】
2016086248.tif 000003
【図２】
2016086248.tif 000004
【図３】
2016086248.tif 000005
【図４】
2016086248.tif 000006
【図５】
2016086248.tif 000007
【図６】
2016086248.tif 000008